(57)【要約】      （修正有）【課題】規定の方向に沿って簡単に積層させることができるおはじきを提供する。【解決手段】おはじき１１は、規定の方向に沿って積層可能なおはじき本体１２を備え、前記おはじき本体には、磁石１４が固定されており、前記磁石は、前記規定の方向と交差する面の一部分が第１の磁極となると共に、残りの部分が第２の磁極となるように着磁されている。第１のおはじきの磁石の一部分（即ち、第１の磁極が着磁された部分）と、第２のおはじきの磁石の一部分とが対向する場合には、各磁石が反発し合う。こうした場合、第２のおはじきを、第１のおはじきに対して、規定の方向に延びる軸線を中心に相対回転させる。すると、第１のおはじきの磁石の一部分と、第２のおはじきの磁石の残りの部分（即ち、第２の磁極が着磁された部分）とが対向し、各磁石の反発が解消される。その結果、各おはじきのうち何れか一方を反転させることなく、各おはじきを規定の方向に沿って積層させることができる。【選択図】図１
0003168165.tif 000002
【実用新案登録請求の範囲】
【請求項１】
規定の方向に沿って積層可能なおはじき本体を備え、
前記おはじき本体には、磁石が固定されており、
前記磁石は、前記規定の方向と交差する面の一部分が第１の磁極となると共に、残りの部分が第２の磁極となるように着磁されていることを特徴とするおはじき。
【請求項２】
前記おはじき本体は、前記規定の方向から見た場合に平面視非円形状をなすように形成されていることを特徴とする請求項１に記載のおはじき。
【請求項３】
前記おはじき本体は、前記規定の方向に直交する方向に延びる線であって且つ当該おはじき本体の中央を通過する仮想線に対し、線対称となる形状に形成されていることを特徴とする請求項２に記載のおはじき。
【請求項４】
前記おはじき本体の中央には、前記磁石が移動不能な状態で収容される収容部が形成されていることを特徴とする請求項１〜請求項３のうち何れか一項に記載のおはじき。
【考案の詳細な説明】
【技術分野】
【０００１】
本考案は、小学校などの授業で利用される教具用のおはじきに関する。
【背景技術】
【０００２】
従来、この種のおはじきとして、例えば特許文献１に記載のおはじきが提案されている。このおはじきは、花弁状に形成された合成樹脂製のおはじき本体を備えている。このおはじき本体の中央には、おはじき本体の裏面側に開口する収容部が形成されており、該収容部内には、略円盤状の磁石が固定された状態で収容されている。
【０００３】
そして、授業が終了した後において、使用された複数のおはじきは、専用の収納ケース内に収納されることになる。このとき、各おはじきは、規定の方向に沿って積層された状態で収容ケース内に収納される。
【先行技術文献】
【特許文献】
【０００４】
【特許文献１】特開平１０−１６１５２０号公報（図２及び図３）
【考案の概要】
【考案が解決しようとする課題】
【０００５】
ところで、上記おはじきに設けられる磁石は、その表面が第１の磁極（例えば、Ｓ極）となると共に、その裏面が第２の磁極（例えば、Ｎ極）となるように着磁されている。表面及び裏面は、規定の方向に沿って延びる線とほぼ直交する面である。そのため、上記収容ケース内に複数のおはじきを積層した状態で収納するためには、互いに異なる磁極が対向するように各おはじきを積層する必要がある。
【０００６】
このとき、同一磁極が対向するようにおはじきを積層させようとしても、磁石同士が反発し合い、各おはじきを積層させることはできない。このとき、規定の方向で隣り合う各おはじきのうち何れか一方のおはじきを、磁石の天地を逆転させるように反転させれば各磁石の反発が解消し、各おはじきを積層させることができる。
【０００７】
しかしながら、特に低学年の児童では、磁石の特性を理解していない可能性が高いため、一方のおはじきを反転させるという着想を思いつかないおそれがある。そのため、収納ケース内に、複数のおはじきを整理して収納ケース内に収納できない、又は複数のおはじきを積層した状態で収納ケース内に収納するのに多大なる時間を要するおそれがあった。
【０００８】
本考案は、このような事情に鑑みてなされたものであり、その目的は、規定の方向に沿って簡単に積層させることができるおはじきを提供することにある。
【課題を解決するための手段】
【０００９】
上記目的を達成するために、本発明のおはじきは、規定の方向に沿って積層可能なおはじき本体を備え、前記おはじき本体には、磁石が固定されており、前記磁石は、前記規定の方向と交差する面の一部分が第１の磁極となると共に、残りの部分が第２の磁極となるように着磁されていることを要旨とする。
【００１０】
上記構成によれば、第１のおはじきの磁石の一部分（即ち、第１の磁極が着磁された部分）と、第２のおはじきの磁石の一部分とが対向する場合には、各磁石が反発し合う。こうした場合、第２のおはじきを、第１のおはじきに対して、規定の方向に延びる軸線を中心に相対回転させる。すると、第１のおはじきの磁石の一部分と、第２のおはじきの磁石の残りの部分（即ち、第２の磁極が着磁された部分）とが対向し、各磁石の反発が解消される。その結果、各おはじきのうち何れか一方を反転させることなく、各おはじきを規定の方向に沿って積層させることができる。
【００１１】
本発明のおはじきにおいて、前記おはじき本体は、前記規定の方向から見た場合に平面視非円形状をなすように形成されていることが好ましい。
本発明のおはじきにおいて、前記おはじき本体は、前記規定の方向に直交する方向に延びる線であって且つ当該おはじき本体の中央を通過する仮想線に対し、線対称となる形状に形成されていることが好ましい。
【００１２】
本発明のおはじきにおいて、前記おはじき本体の中央には、前記磁石が移動不能な状態で収容される収容部が形成されていることが好ましい。
【考案の効果】
【００１３】
本考案によれば、複数のおはじきを規定の方向に沿って簡単に積層させることができる。
【図面の簡単な説明】
【００１４】
【図１】（ａ）は本考案のおはじきの一実施形態を示す斜視図、（ｂ）はおはじきの平面図、（ｃ）は図１（ｂ）のＡ−Ａ線矢視断面図。
【図２】磁石を示す模式図。
【図３】（ａ）は各磁石が反発する様子を説明する模式図、（ｂ）は各おはじきを積層した様子を説明する模式図。
【図４】おはじきの製造手順を説明するフローチャート。
【図５】おはじきの別の実施形態を示す斜視図。
【考案を実施するための形態】
【００１５】
以下、本考案を具体化した一実施形態を図１〜図４に従って説明する。
図１（ａ）（ｂ）（ｃ）に示すように、おはじき１１は、合成樹脂製のおはじき本体１２を備えている。このおはじき本体１２は、平面視非円形状をなすと共に、規定の方向に沿って延びる軸線Ｓ１（図１では一点鎖線で示す。）に直交する仮想線Ｓ２（図１では二点鎖線で示す。）に対し、線対称となるように形成されている。一例として、おはじき本体１２は、径方向外側に突出する複数（本実施形態では５つ）の凸部が周方向において等間隔に配置される所謂花弁状に形成されている。こうしたおはじき本体１２の中央には、収容部としての貫通孔１３が形成されている。この貫通孔１３は、おはじき本体１２の表面１２１側及び裏面１２２側に開口している。なお、おはじき本体１２の表面１２１及び裏面１２２は、図１（ｃ）における上下方向と一致する規定の方向における一方側の面及び他方側の面のことを示している。
【００１６】
また、おはじき本体１２の貫通孔１３内には、略円柱形状をなす磁石１４が嵌入されている。こうした磁石１４は、接着剤などによって、おはじき本体１２に移動不能な状態で固定されている。
【００１７】
磁石１４は、軸線Ｓ１に直交する２つの面（表面１４１、裏面１４２）を有している。そして、図２に示すように、磁石１４の表面１４１の半分（以下、「第１の領域１４１ａ」ともいう。）は第１の磁極（例えば、Ｓ極）となる一方で、表面１４１の残り半分（以下、「第２の領域１４１ｂ」ともいう。）は第２の磁極（例えば、Ｎ極）となっている。一方、磁石１４の裏面１４２において、表面１４１の第１の領域１４１ａの反対側に位置する第３の領域１４２ａは第２の磁極になる一方、表面１４１の第２の領域１４１ｂの反対側に位置する第４の領域１４２ｂは第１の磁極になっている。
【００１８】
次に、複数のおはじき１１（１１１，１１２）を規定の方向に沿って積層させる場合の作用について、図３を参照して説明する。
さて、複数のおはじき１１を積層させる際に、第１のおはじき１１１の裏面１４２と、第２のおはじき１１２の表面１４１とを対向させる。このとき、互いに極性の異なる磁性を有する領域同士が対向すると、各おはじき１１１，１１２間で吸引力が働く。その結果、各おはじき１１１，１１２は規定の方向に沿って積層される。
【００１９】
しかし、図３（ａ）に示すように、同一の極性を有する領域同士が対向する場合には、各おはじき１１１，１１２間で反発力が働く。このとき、第１のおはじき１１１を、第２のおはじき１１２に対して、軸線Ｓ１を中心に１８０°程度相対回転させると、図３（ｂ）に示すように、互いに極性の異なる磁性を有する領域同士が対向するようになる。その結果、各おはじき１１１，１１２間で吸引力が働き、該各おはじき１１１，１１２は規定の方向に沿って積層される。
【００２０】
次に、本実施形態のおはじき１１の製造手順について、図４に示すフローチャートを参照して説明する。
さて、図４に示すように、第１のステップＳ１０では、おはじき本体１２の貫通孔１３内に、着磁前の磁石を嵌入させる。そして、接着剤などを用い、着磁前の磁石をおはじき本体１２に固定させる。次のステップＳ２０では、おはじき本体１２に固定された着磁前の磁石に対して着磁処理を行う。
【００２１】
こうした手順でおはじき１１を製造することにより、例えば、磁石１４の表面１４１において図１（ｂ）の左半分に、第１の領域１４１ａが形成されると共に、表面１４１において図１（ｂ）の右半分に、第２の領域１４１ｂが形成される。同様に、磁石１４の裏面１４２において図１（ｂ）の左半分に、第３の領域１４２ａが形成されると共に、裏面１４２において図１（ｂ）の右半分に、第４の領域１４２ｂが形成される。
【００２２】
したがって、本実施形態では、以下に示す効果を得ることができる。
（１）複数のおはじき１１を規定の方向に沿って積層させる場合において、同一の極性を有する領域同士が対向するときには、各おはじき１１のうち何れか一方のおはじき１１を、他方のおはじき１１に対して軸線Ｓ１を中心に相対回転させる。すると、互いに極性の異なる磁性を有する領域同士が対向するようになり、各磁石１４の反発が解消される。その結果、各おはじき１１のうち何れか一方を、磁石の天地面が逆転するように反転させることなく、各おはじき１１を規定の方向に沿って簡単に積層させることができる。
【００２３】
（２）また、複数のおはじき１１を容易に積層させることができるようになり、複数のおはじき１１を専用の収容ケース内に収納させる後片づけの時間を短縮させることができる。その結果、後片づけに要する時間を短縮できる分、おはじき１１を用いた学習時間を長くすることができる。つまり、限りある授業の時間を、学習のために有効活用できる。
【００２４】
なお、上記実施形態は以下のような別の実施形態に変更してもよい。
・実施形態において、磁石１４が収容される収容部は、おはじき本体１２の表面１２１及び裏面１２２の何れか一方にだけ開口する凹部であってもよい。
【００２５】
・実施形態において、おはじき本体１２の収容部を設けなくてもよい。この場合、おはじき本体１２の中央に、磁石１４が接着剤などによって貼付けられることになる。
・実施形態において、おはじき本体１２は、仮想線Ｓ２に対し、線対称となる形状であれば、任意の形状であってもよい。例えば、おはじき本体１２は、図５に示すように、略４つ葉状の形状であってもよい。
【００２６】
・実施形態において、おはじき本体１２は、平面視略非円形状であれば、任意の形状であってもよい。例えば、おはじき本体１２は、平面視三角形状であってもよいし、平面視略四角形状であってもよい。また、おはじき本体１２は、楕円形状であってもよい。
【符号の説明】
【００２７】
１１…おはじき、１２…おはじき本体、１３…収容部の一例としての貫通孔、１４、磁石、１４１…規定の方向と交差する面の一例としての表面、１４２…規定の方向と交差する面の一例としての裏面。
【図１】
0003168165.tif 000003
【図２】
0003168165.tif 000004
【図３】
0003168165.tif 000005
【図４】
0003168165.tif 000006
【図５】
0003168165.tif 000007